(57)【特許請求の範囲】
【請求項１】
衛生器具に水又は湯を供給するための建物側配管の端末に、ワンタッチ式セルフシール継手のソケットを取り付ける一方、前記建物側配管の端末に接続される衛生器具側の配管には、前記ワンタッチ式セルフシール継手のプラグを設けた衛生器具への給水配管であって、前記ワンタッチ式セルフシール継手のソケットが、一端に樹脂管用接続部を備え、他端に金属製の雄ねじ付き筒状部材がインサート成形された合成樹脂製の筒状体と、一端に前記雄ねじに螺合する雌ねじを備え、内部に流路開閉用の弁体を備え、他端側の筒壁に複数個の貫通孔が形成された金属製の雌ねじ付き筒状部材と、前記雄ねじ付き筒状部材の内部に設けられたスプリング受けと前記弁体とにわたって介装され、前記弁体を閉塞状態に付勢する圧縮スプリングと、前記貫通孔に一部が雌ねじ付き筒状部材の内面から突出する状態に嵌入された球体と、前記雌ねじ付き筒状部材に対して一定範囲内で軸線方向スライド自在に套嵌され、前記プラグを雌ねじ付き筒状部材に差し込んだ状態において、前記球体を前記プラグの外周に形成された環状溝に嵌入した状態に規制する第１状態と、環状溝からの球体の抜出しを許容する第２状態とに切換え可能なスリーブと、前記スリーブを前記第１状態にスライド付勢するスプリングとによって構成されていることを特徴とする衛生器具への給水配管。
【発明の詳細な説明】
【０００１】
【産業上の利用分野】
本発明は、例えば、洗面器、手洗器、便器水洗用タンク、浴槽、流し等の衛生器具への給水配管に関するものである。
【０００２】
【従来の技術】
従来の衛生器具への給水配管では、図６の（イ）や図７の（イ）に示すように、衛生器具ａに水又は湯を供給するための建物側配管（壁ｂや床ｃの仕上げが行われる前に施工される配管）ｄの端末にエルボｅ又はソケットｆを取り付けておき、壁ｂ又は床ｃの仕上げが完了した後、衛生器具ａ側の配管ｇを前記エルボｅ又はソケットｆに接続するようになっていた。図中のｈは止水栓である。
【０００３】
このため、衛生器具ａの接続に、配管ｇの雄ねじ部に対するシール材の塗布、エルボｅ又はソケットｆへのねじ込み操作といった手間のかかる作業が必要とされるばかりでなく、壁ｂや床ｃの仕上げに先立って行われる建物側配管ｄの水圧テストに際しては、図６の（ロ）や図７の（ロ）に示すように、仮設の止水プラグｉを前記エルボｅ又はソケットｆに取り付けて、水圧テストを行い、衛生器具ａの接続時に、前記止水プラグｉを取り外す必要があった。
【０００４】
【発明が解決しようとする課題】
本発明は、上記の現状に鑑みてなされたもので、その目的とするところは、衛生器具の接続作業を簡略化すると共に、壁や床の仕上げに先立って行われる建物側配管の水圧テスト時に取り付けられていた従来の仮設止水プラグを不要にして、水圧テスト時の省人化を可能にした衛生器具への給水配管を提供することにある。
【０００５】
本発明の他の目的は、上記の利点を有する衛生器具への給水配管を部材点数や作業工数の少ない構成によって達成することにある。
【０００６】
【課題を解決するための手段】
上記の目的を達成するために本発明が講じた技術的手段は、次の通りである。即ち、本発明の特徴は、衛生器具に水又は湯を供給するための建物側配管の端末に、ワンタッチ式セルフシール継手のソケットを取り付ける一方、前記建物側配管の端末に接続される衛生器具側の配管には、前記ワンタッチ式セルフシール継手のプラグを設けた衛生器具への給水配管において、前記ワンタッチ式セルフシール継手のソケットを、一端に樹脂管用接続部を備え、他端に金属製の雄ねじ付き筒状部材がインサート成形された合成樹脂製の筒状体と、一端に前記雄ねじに螺合する雌ねじを備え、内部に流路開閉用の弁体を備え、他端側の筒壁に複数個の貫通孔が形成された金属製の雌ねじ付き筒状部材と、前記雄ねじ付き筒状部材の内部に設けられたスプリング受けと前記弁体とにわたって介装され、前記弁体を閉塞状態に付勢する圧縮スプリングと、前記貫通孔に一部が雌ねじ付き筒状部材の内面から突出する状態に嵌入された球体と、前記雌ねじ付き筒状部材に対して一定範囲内で軸線方向スライド自在に套嵌され、前記プラグを雌ねじ付き筒状部材に差し込んだ状態において、前記球体を前記プラグの外周に形成された環状溝に嵌入した状態に規制する第１状態と、環状溝からの球体の抜出しを許容する第２状態とに切換え可能なスリーブと、前記スリーブを前記第１状態にスライド付勢するスプリングとによって構成した点にある。
【０００７】
【０００８】
【作用】
上記の構成によれば、衛生器具に水又は湯を供給するための建物側配管の端末に、ワンタッチ式セルフシール継手のソケットが取り付けられているので、従来のように、仮設の止水プラグで配管系端末を閉塞しなくても、建物側配管の水圧テストが行えることになる。
建物側配管の水圧テストが完了し、壁や床の仕上げが完了した後、衛生器具を接続するにあたっては、衛生器具側配管のプラグをワンタッチ式セルフシール継手のソケットに差し込むだけのワンタッチ操作により、配管接続が可能である。
【０００９】
【実施例】
以下、本発明の実施例を図面に基づいて説明する。図１〜図３は、本発明に係る衛生器具１への給水配管の一例を示す。図面上、衛生器具１として、洗面器を示しているが、これは、手洗器、便器水洗用タンク、浴槽、流し等のいずれであってもよい。２は、衛生器具１に水又は湯を供給するための建物側配管（壁３や床４の仕上げが行われる前に施工される配管）である。管材としては、ステンレス管や内面を防錆被覆した金属管等であってもよいが、この実施例では、架橋ポリエチレン管、ポリブテン管等の合成樹脂管が使用されている。
【００１０】
建物側配管２の端末には、壁３施工前の任意の時点、例えば、合成樹脂管を衛生器具設置箇所近くまで配管して床４から立ち上げた時点で、セルフシール機構が内蔵されたソケット５Ａとそれに差し込むことにより自動的に抜止めされるプラグ５Ｂとから構成されるワンタッチ式セルフシール継手５の前記ソケット５Ａを取り付けてある。一方、壁３や床４の仕上げ完了後に取り付けられる衛生器具１側の配管６には、前記ワンタッチ式セルフシール継手５のプラグ５Ｂを設け、前記ソケット５Ａに差し込んである。７は衛生器具１側の配管６に設けられた止水栓である。この止水栓７は省略して実施してもよい。
【００１１】
上記の構成によれば、建物側配管２の端末にワンタッチ式セルフシール継手５のソケット５Ａを取り付けてあるため、壁３や床４の仕上げに先立って行われる建物側配管２の水圧テストに際し、従来のように、仮設の止水プラグで配管端末を閉塞する必要がなく、そのままの状態で水圧テストが行えることになる。
【００１２】
建物側配管２の水圧テストが完了し、不良箇所があれば手直しを行い、次に、壁３や床４の仕上げを行い、しかる後、衛生器具１を接続することになるが、衛生器具１側の配管６には、前記ワンタッチ式セルフシール継手５のプラグ５Ｂを設けてあるので、衛生器具１を接続するにあたっては、プラグ５Ｂをワンタッチ式セルフシール継手のソケット５Ａに差し込むだけのワンタッチ操作により、配管接続が可能である。
【００１３】
また、プラグ５Ｂを抜いても、セルフシール機構により水漏れが阻止されるので、間取り変更や衛生器具１の破損等のために、衛生器具１を取り替える必要が生じた場合、元バルブを閉めることなく衛生器具１の脱着が行える利点がある。
【００１４】
ワンタッチ式セルフシール継手５のソケット５Ａとしては、既存のものを使用してもよいが、この場合には、建物側配管２の端末に取り付けた既存のエルボ又はソケットと、ワンタッチ式セルフシール継手５のソケット５Ａとを現場で接続することになり、部材点数および現場での作業工数が多くなる。殊に、ワンタッチ式セルフシール継手５のソケット５Ａは、一般に金属製であるから、上記の実施例のように、建物側配管２が合成樹脂管の場合、金属製ソケット５Ａに接続するエルボ又はソケットとしては、一端に樹脂管用接続部を備えた合成樹脂製の筒状体の他端に既存のソケット５Ａとねじ嵌合する金属製の筒状部材がインサート成形されたものが必要となり、全体としての構成部材点数が増えることになる。
【００１５】
そのため、本発明では、前記ワンタッチ式セルフシール継手５のソケット５Ａを、エルボ又はソケットと一体化した構成とすることより、部材点数や作業工数の低減を図っている。
【００１６】
具体的には、この実施例では、前記ワンタッチ式セルフシール継手５のソケット５Ａを次のように構成してある。即ち、図３に示すように、一端に樹脂管用接続部８ａを備え、他端に金属製（例えば、ステンレス鋼や真鍮）の雄ねじ９ａ付き筒状部材９がインサート成形された合成樹脂製のエルボ状の筒状体８と、一端に前記雄ねじ９ａに螺合する雌ねじ１０ａを備え、内部に流路開閉用の弁体１１を備え、他端側の筒壁に複数個の貫通孔１２が形成された金属製（例えば、ステンレス鋼や真鍮）の雌ねじ１０ａ付き筒状部材１０と、前記雄ねじ９ａ付き筒状部材９の内部に設けた環状隆起部によって形成されたスプリング受け１３と前記弁体１１とにわたって介装され、雄ねじ９ａ付き筒状部材９と雌ねじ１０ａ付き筒状部材１０とを互いにねじ嵌合することにより圧縮されて、前記弁体１１を閉塞状態に付勢する圧縮スプリング１４と、前記貫通孔１２に一部が雌ねじ１０ａ付き筒状部材１０の内面から突出する状態に嵌入されたステンレス鋼製の球体１５と、前記雌ねじ１０ａ付き筒状部材１０に対して一定範囲内で軸線方向スライド自在に套嵌され、前記プラグ５Ｂを雌ねじ１０ａ付き筒状部材１０に差し込んだ状態において、前記球体１５を前記プラグ５Ｂの外周に形成された環状溝１６に嵌入した状態に規制する第１状態と、環状溝１６からの球体１５の抜出しを許容する第２状態とに切換え可能なスリーブ１７と、前記スリーブ１７を前記第１状態にスライド付勢するスプリング１８とによって、前記ソケット５Ａを構成してある。
【００１７】
前記樹脂管用接続部８ａは、建物側配管２の内径に対応した外径の内筒部１９と、ニクロム線２０を埋め込んだ外筒部２１との二重筒構造になっており、内，外筒部１９，２１間に合成樹脂製の建物側配管２を差し込んだ状態で、端子２２ａ，２２ｂに通電することにより、外筒部２１の内面側を加熱溶融して、建物側配管２と水密状態に接着するようになっている。
【００１８】
図中の２３はゴム製の弁座、１１ａは弁体１１の下流側に一体に突設された突片であり、プラグ５Ｂをソケット５Ａに差し込むことにより、プラグ５Ｂの先端縁で突片１１ａを押圧し、弁体１１を圧縮スプリング１４に抗して開動させるようになっている。２４はスリーブ１７の抜出し方向へのスライド範囲を制限するストップリングである。２５はソケット５Ｂを桟木２６等にビス２７等で固定するための取付け座であり、ビス２８によって前記雄ねじ９ａ付き筒状部材９に固定してある。
【００１９】
上記構成のソケット５Ｂは、在来のワンタッチ式セルフシール継手のソケットと、在来のエルボとを一体化した如き構造であるため、在来のエルボの端部にインサート成形されていた金属製の筒状部材が省略されることになり、構成部材点数が少なく、現場での作業工数も減少することになる。
【００２０】
図４、図５は、本発明の他の実施例を示す。この実施例は、一端に樹脂管用接続部８ａを備え、他端に金属製の雄ねじ９ａ付き筒状部材９がインサート成形された合成樹脂製の筒状体８を直管状（ソケット状）に形成した点に特徴がある。その他の構成は、先の実施例と同じであるため、説明を省略する。
【００２１】
尚、この実施例では、床４から立ち上げた建物側配管２を桟木等に固定していないので、建物側配管２を撓ませることにより、衛生器具１側の配管６のプラグ５Ｂを建物側配管２端末のソケット５Ａに差し込み接続することができるが、先の実施例のように、ソケット５Ａを取付け座２４で桟木等に固定する場合は、衛生器具１側の配管６を撓まして、プラグ５Ｂをソケット５Ａに差し込み接続することになる。
【００２２】
【発明の効果】
請求項１によれば、衛生器具に水又は湯を供給するための建物側配管の端末に、ワンタッチ式セルフシール継手のソケットが取り付けられているので、衛生器具の接続作業を簡略化できるばかりでなく、壁や床の仕上げに先立って行われる建物側配管の水圧テストの際、配管端末を閉塞する仮設の止水プラグが不要であり、水圧テスト時の省人化が可能である。
しかも、ワンタッチ式セルフシール継手のソケットがエルボ又はソケットと一体化された如き構造となるので、上記の利点を有する衛生器具への給水配管を部材点数や作業工数の少ない構成によって達成することができる。
【図面の簡単な説明】
【図１】本発明に係る衛生器具への給水配管の衛生器具接続前の状態を示す側面図である。
【図２】本発明に係る衛生器具への給水配管の衛生器具接続後の状態を示す側面図である。
【図３】要部の縦断側面図である。
【図４】本発明の他の実施例を示す側面図である。
【図５】図４の要部拡大図である。
【図６】従来例を示す概略側面図である。
【図７】従来例を示す概略側面図である。
【符号の説明】
１…衛生器具、２…建物側配管、５…ワンタッチ式セルフシール継手、５Ａ…ソケット、５Ｂ…プラグ、８…合成樹脂製の筒状体、８ａ…樹脂管用接続部、９…金属製の筒状部材、９ａ…雄ねじ、１０…金属製の筒状部材、１０ａ…雌ねじ、１１…弁体、１２…貫通孔、１３…スプリング受け、１４…圧縮スプリング、１５…球体、１６…環状溝、１７…スリーブ、１８…スプリング。
【図１】
0003616413.tif 000002
【図２】
0003616413.tif 000003
【図３】
0003616413.tif 000004
【図４】
0003616413.tif 000005
【図５】
0003616413.tif 000006
【図６】
0003616413.tif 000007
【図７】
0003616413.tif 000008